(57)【要約】【課題】  尿の飛散を効果的に防止し、便所掃除の手間を少なくする尿の飛散防止具を提供する。【解決手段】  網目を有する尿水受部４と、尿水受部４に連結される取付部材５とを備え、取付部材５が、尿水受部４を上側に開口部９を有する便器１に固定することを特徴とする。【選択図】  図１
0003201578.tif 000002
【実用新案登録請求の範囲】
【請求項１】
網目を有する尿水受部（４）と、
上記尿水受部（４）に連結される取付部材（５）とを備え、
上記取付部材（５）が、上記尿水受部（４）を上側に開口部（９）を有する便器（１）に固定することを特徴とする尿の飛散防止具（３）。
【請求項２】
上記尿水受部（４）がドーム状に形成されることを特徴とする請求項１に記載の尿の飛散防止具（３）。
【請求項３】
上記取付部材（５）が、上記尿水受部（４）に連結されるアーム（６）と、上記アーム（６）の先端に返し部（７）を設けて構成されることを特徴とする請求項１又は２に記載の尿の飛散防止具（３）。
【請求項４】
上記便器（１）に取り付ける際に、上記アーム（６）を上記便器（１）の開口部（９）の内周縁のみに接地させ、上記アーム（６）と上記便器（１）の開口部（９）の外周縁との間に隙間を設けることを特徴とする請求項３に記載の飛散防止具（３）。
【請求項５】
上記便器（１）に超音波振動発生装置（１２）を設け、上記超音波振動発生装置（１２）により、上記取付部材（５）に超音波振動を加えることを特徴とする請求項１から３のいずれか一項に記載の尿の飛散防止具（３）。
【請求項６】
上記取付部材（５）が針金で形成されることを特徴とする請求項１から５のいずれか一項に記載の尿の飛散防止具（３）。
【考案の詳細な説明】
【技術分野】
【０００１】
この発明は、洋式の便器における尿の飛散防止具に関する。
【背景技術】
【０００２】
洋式の便器において、男性が立ったまま用を足すと、尿が便器の水溜り部や内周面に当たって便所中に飛散し、便所内の汚れや異臭の原因となっている。
【０００３】
このような問題に対し、種々の対策が取られており、例えば特許文献１では、球形の尿飛散防止用有形物を便器の水溜り部の上に配置することで、尿が上記飛散防止用有形物に当たって間接的に水溜り部に流れるようにして、尿の飛散を抑えている。
【先行技術文献】
【特許文献】
【０００４】
【特許文献１】特開２００２−８８８６７号
【考案の概要】
【考案が解決しようとする課題】
【０００５】
しかしながら、特許文献１の発明の上記飛散防止用有形物は、丸や円錐の形状をしており、これに尿が直接当たった場合、尿は水溜り部に流れるだけでなく、尿の跳ね返りが生じて便器の外に尿が飛散してしまう。
【０００６】
そこで、本考案では、尿の飛散をより効果的に防止できる尿の飛散防止具を提供する。
【課題を解決するための手段】
【０００７】
前記課題を解決するための手段は、網目を有する尿水受部と、上記尿水受部に連結される取付部材とを備え、上記取付部材が上記尿水受部を便器に固定するものである。
【０００８】
また、上記尿水受部がドーム状に形成されるようにしてもよい。この構成によると、飛散防止具の尿水受部が高さ方向に大きくなるため、尿を当てる的としての面積が大きくなる。
【０００９】
また、上記取付部材が、上記尿水受部に連結されるアームと、上記アームの先端に返し部を設けて構成されるようにしてもよい。この構成によると、便器の開口部の任意の位置に尿の飛散防止具を取り付けできる。
【００１０】
また、上記便器に取り付ける際に、上記アームを上記便器の開口部の内周縁のみに接地させ、上記アームと上記便器の開口部の外周縁との間に隙間を設けるようにしてもよい。この構成によると、座って用を足す際に下ろされた便座の荷重が便器開口部上のアームにかかるため、便器の開口端の内周縁を支点にして尿水受部が持ち上がり、尿水受部を便器の水溜り部から遠ざけることができる。
【００１１】
また、上記便器に超音波振動発生装置を設け、上記超音波振動発生装置により、上記取付部材に超音波振動を加えるようにしてもよい。この構成によると、取付部材を介して尿水受部も超音波振動するため、より効率的に尿の粒を細かくできる。
【００１２】
また、上記取付部材を針金で形成するようにしてもよい。この構成によると、取付部材の形状を便器の形状に合わせて変化させられるため、様々な便器に飛散防止具を取り付けることができる。
【考案の効果】
【００１３】
本考案の尿の飛散防止具によれば、尿が網目からなる尿水受部に当たると、尿の粒が細かくなるため、便器の内周面に当たっても尿が飛散しなくなり、便所掃除の手間が少なくなる。
【図面の簡単な説明】
【００１４】
【図１】便器に本実施の形態に係る尿の飛散防止具を取り付けた状態を示す側断面図である。
【図２】本実施の形態に係る尿の飛散防止具を示す平面図である。
【図３】本実施の形態に係る尿の飛散防止具を示す側面図である。
【図４】図１において便座が下げられた状態を示す側断面図である。
【図５】便器に他の実施の形態に係る尿の飛散防止具を取り付けた状態を示す側断面図である。
【考案を実施するための形態】
【００１５】
以下に、図示した本実施の形態に基づいて、図面を参照しながら説明する。いくつかの図面を通して付された同じ符号は、同じ部品か対応する部品を示す。
【００１６】
本実施の形態に係る考案は、洋式の便器１に利用され、男性が立って用を足す際に尿が飛散するのを防止するための器具である。
【００１７】
本実施の形態に係る便器１は、図１に示すように、床に固定され、上側に開口部９を有する便器本体１１と、この便器本体１１に対して離着座する便座１０を備え、便器本体１１内の排水口の周辺に水溜り部２が設けられた一般的な洋式の便器である。
【００１８】
本実施の形態に係る尿の飛散防止具３は、図２、図３に示すように、環状の枠体４ａと枠体４ａの内周縁を基端として半球体のドーム状に形成された網部材４ｂを備える尿水受部４と、枠体４ａの外周縁に連結されて設けられた取付部材５を備えて構成されている。
【００１９】
なお、本実施の形態においては、尿水受部４の枠体４ａは、環状に形成されているが、枠体４ａの形状は特に限定されず、任意の形状で良い。
【００２０】
取付部材５は、枠体４ａの外周縁に連結される一対のアーム６，６と、一対のアーム６，６の先端に設けられるフック状の返し部７と、一対のアーム６，６の先端同士を繋ぐ繋ぎ部８を備えて構成される。これにより、返し部７を便器本体１１の開口部９の外縁に引っ掛けることで飛散防止具３を便器１の任意の位置に取り付けできる。
【００２１】
また、本実施の形態に係る取付部材５は針金で形成されているため、アーム６や返し部７の形状を便器１の形状に合わせて適宜変えることができる。このため、飛散防止具３を様々な便器に取り付けできる。
【００２２】
本実施の形態に係る取付部材５は一本の針金を折り曲げることで一対のアーム６，６と繋ぎ部８と返し部７を一体形成しているが、一対のアーム６，６をそれぞれ別体にしてそれぞれの先端に返し部７を設けるようにして、繋ぎ部８を省略してもよい。または、便器１から外れてしまわないのであれば、取付部材５を一本のアーム６と返し部７で構成してもよい。一本のアームで形成した場合、一対のアーム６，６で形成した場合に比べて取付部材５の材料を少なくできる。
【００２３】
なお、取付部材５は上述したものに限定されず、尿水受部４を便器１の内周面に配置できるものであればよい。例えば、尿水受部４に吸盤や粘着テープを設けて便器１の内周面に尿水受部４を配置させてもよい。
【００２４】
以下、本実施の形態に係る考案の作動及び効果を詳細に説明する。
【００２５】
尿は放出された直後はホース状に繋がっているが、距離が離れるほど粒状になる。そのため、洋式の便器に男性が立って用を足すと、粒状の尿が便器の内周面や水溜り部に当たってはじけることで、便所中に尿が飛散することになる。
【００２６】
ここで、図１に示すように、便器１の開口部９の外周縁に返し部７を引掛けて本考案の飛散防止具３を便器１の内周面に配置することで、放出された尿が尿水受部４に命中すると、網部材４ｂの網目を通って尿の粒が細かくなる。つまり、尿の粒の周りの表面張力が網部材４ｂによって分散されることにより、一粒ごとの表面張力が弱められるため、尿が便器１の内周面や水溜り部２に当たってもほとんど跳ね返らなくなる。
【００２７】
また、本実施の形態に係る飛散防止具３の尿水受部４は、便器１の内周面に当接されて配置されているため、便器の水を流す際に便器の内周面と一緒に尿水受部４も洗浄されることになるので常に清潔に保たれる。
【００２８】
なお、本実施の形態においては、尿水受部４は便器１の内周面に当接しているが、尿水受部４が便器１の内周面から離間していても尿の跳ね返りを防止する効果は発揮される。
【００２９】
また、本実施の形態に係る尿水受部４は、網目を形成する網部材４ｂがドーム状に形成されているため、尿水受部４が高さ方向に大きくなり、尿を当てる的の面積を大きくできる。
【００３０】
なお、尿水受部４が尿の粒を細かく分散する効果を奏するためには、網部材４ｂがドーム状に形成されている必要なく、例えば、枠体４ａに板状に張られていてもよい。
【００３１】
また、尿水受部４の網目は細かいほど尿の粒を細かく分散できるため、網目の細かい網部材４ｂにするかあるいは、網部材４ｂを２重にすると本発明の効果をより効果的に発揮である。
【００３２】
また、図１に示すように、本実施の形態に係る考案は、アーム６を開口部９の内周縁のみに接地させて開口部９の外周縁とアーム６との間に隙間を設けるようにしてもよい。このようにすると、図４に示すように便座１０が下ろされる際に、便座１０の荷重によって、開口部９の内周縁を支点にして外周縁とアーム６との隙間分だけ尿水受部４が持ち上げられる。これにより、利用者が大便をする際には、便座１０を下すため、尿水受部４が便器１の水溜り部２から遠ざけられ、大便の付着を防止できる。
【００３３】
また、他の実施の形態として、図５に示すように、便器本体１１の外側面に超音波振動発生装置１２を固定し、飛散防止具３の取付部材５の端部を超音波振動発生装置１２に連結することで、超音波振動発生装置１２により取付部材５を介して超音波振動を伝達して尿水受部４を超音波振動させることができる。これにより、尿水受部４に当たった尿の粒が超音波振動によっても細かく分散されるため、より効果的に尿の跳ね返りを防止できる。
【００３４】
なお、この場合、飛散防止具３のアーム６と尿水受部４のいずれか一方でも便器１に接触してしまうと、尿水受部４が超音波振動しなくなってしまうため、飛散防止具３は、便器１から離間している必要がある。
【００３５】
また、ここで用いられる超音波振動発生装置１２は、交流電圧を加えると超音波振動を発生するランジュバン型振動子を備える装置などが考えられるが、超音波振動を発生可能な装置であれば特に限定されるものではない。
【００３６】
なお、図５の実施の形態においては、超音波振動発生装置１２は便器本体１１の外側面に固定されているが、超音波振動発生装置１２が防水加工されていれば、便器本体１１の内周面に固定されるようにしてもよい。
【００３７】
また、超音波振動発生装置１２は便器本体１１にどのような手段で固定されてもよく、固定方法は特に限定されない。
【００３８】
以上、本考案の好ましい実施の形態を詳細に説明したが、実用新案登録請求の範囲から逸脱なく改造、変形及び変更ができるのは当然である。
【符号の説明】
【００３９】
１・・・便器、３・・・飛散防止具、４・・・尿水受部、５・・・取付部材、６・・・アーム、７・・・返し部、９・・・開口部、１２・・・超音波振動発生装置
【図１】
0003201578.tif 000003
【図２】
0003201578.tif 000004
【図３】
0003201578.tif 000005
【図４】
0003201578.tif 000006
【図５】
0003201578.tif 000007